(57)【要約】【課題】複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことを可能とする。【解決手段】検出データ格納部３３は、制御部３２の制御に基づいて、複数のセンサ２１、２２により検出された温度、湿度等の各種検出データのうち送信されてきた変化後の検出データのみを格納する。予測部４１は、検出データ格納部３３に格納されている過去の検出データの履歴から、複数のセンサ２１、２２により検出される検出データのうちの多数の検出データが変化する時刻を予測する。指示部４２は、予測部４１により予測された時刻の予め設定された時間前に動作確認用のテストデータを送信するよう複数のセンサのうちの一部の特定のセンサに対して指示する。【選択図】図３
2019128755.tif 000002
【特許請求の範囲】
【請求項１】
監視対象の状態を検出する複数のセンサと、
複数のセンサにより検出される検出データが変化した場合、変化後の検出データを送信する送信手段と、
前記送信手段により送信されてきた検出データを格納する格納手段と、
前記格納手段に格納されている過去の検出データから、前記複数のセンサにより検出される検出データが変化する時刻を予測する予測手段と、
前記予測手段により予測された時刻の予め設定された時間前に動作確認用のデータを送信するよう前記複数のセンサのうちの一部の特定のセンサに対して指示する指示手段と、
を備えた状態監視システム。
【請求項２】
前記複数のセンサが、網目状ネットワークにより相互に接続されている請求項１記載の状態監視システム。
【請求項３】
前記複数のセンサが、網目状ネットワークにおいて、無線回線により相互に接続されている請求項２記載の状態監視システム。
【請求項４】
前記指示手段は、前記複数のセンサのうち前記格納手段までの経由装置数が多いセンサに対して、前記予測手段により予測された時刻の予め設定された時間前に動作確認用のデータを送信するよう指示する請求項２記載の状態監視システム。
【請求項５】
動作確認用のデータが正常に受信できない場合には、異常がある旨を通知する通知手段をさらに備えた請求項１記載の状態監視システム。
【請求項６】
前記通知手段は、前記複数のセンサのうちの一部のセンサに設けられた報知手段を動作させることにより、異常がある旨を通知する請求項５記載の状態監視システム。
【請求項７】
監視対象の状態を検出する複数のセンサにより検出された検出データのうちの、送信されてきた変化後の検出データを格納する格納手段と、
前記格納手段に格納されている過去の検出データから、前記複数のセンサにより検出される検出データが変化する時刻を予測する予測手段と、
前記予測手段により予測された時刻の予め設定された時間前に動作確認用のデータを送信するよう前記複数のセンサのうちの一部の特定のセンサに対して指示する指示手段と、
を備えた情報処理装置。
【請求項８】
監視対象の状態を検出する複数のセンサにより検出される検出データのうちの、送信されてきた変化後の検出データを格納する格納ステップと、
前記格納ステップにおいて格納された過去の検出データから、前記複数のセンサにより検出される検出データが変化する時刻を予測する予測ステップと、
前記予測ステップにおいて予測された時刻の予め設定された時間前に動作確認用のデータを送信するよう前記複数のセンサのうちの一部の特定のセンサに対して指示する指示ステップと、
をコンピュータに実行させるためのプログラム。
【発明の詳細な説明】
【技術分野】
【０００１】
本発明は、情報処理装置、状態監視システムおよびプログラムに関する。
【背景技術】
【０００２】
特許文献１には、類似する複数のログにおいて、それぞれのログに含まれる情報から元のログよりも少ない情報を有する差分ログを生成する生成手段を備えた管理装置が開示されている。
【０００３】
特許文献２には、Ｗｅｂサイトのページ毎のアクセスログデータに基づいて、時間ごとのＰＶ（Ｐａｇｅ Ｖｉｅｗ）数の変動量を予測したＰＶ数予測式を導出し、このＰＶ数予測式により求められるＰＶ数の変動量に応じて、システムのリソースを変更するようにしたリソース制御システムが開示されている。
【先行技術文献】
【特許文献】
【０００４】
【特許文献１】特許第５３４６６２６号公報
【特許文献２】特開２０１６−１４９０５８号公報
【発明の概要】
【発明が解決しようとする課題】
【０００５】
本発明の目的は、複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能な情報処理装置、状態監視システムおよびプログラムを提供することである。
【課題を解決するための手段】
【０００６】
［状態監視システム］
請求項１に係る本発明は、監視対象の状態を検出する複数のセンサと、
複数のセンサにより検出される検出データが変化した場合、変化後の検出データを送信する送信手段と、
前記送信手段により送信されてきた検出データを格納する格納手段と、
前記格納手段に格納されている過去の検出データから、前記複数のセンサにより検出される検出データが変化する時刻を予測する予測手段と、
前記予測手段により予測された時刻の予め設定された時間前に動作確認用のデータを送信するよう前記複数のセンサのうちの一部の特定のセンサに対して指示する指示手段とを備えた状態監視システムである。
【０００７】
請求項２に係る本発明は、前記複数のセンサが、網目状ネットワークにより相互に接続されている請求項１記載の状態監視システムである。
【０００８】
請求項３に係る本発明は、前記複数のセンサが、網目状ネットワークにおいて、無線回線により相互に接続されている請求項２記載の状態監視システムである。
【０００９】
請求項４に係る本発明は、前記指示手段が、前記複数のセンサのうち前記格納手段までの経由装置数が多いセンサに対して、前記予測手段により予測された時刻の予め設定された時間前に動作確認用のデータを送信するよう指示する請求項２記載の状態監視システム。
【００１０】
請求項５に係る本発明は、動作確認用のデータが正常に受信できない場合には、異常がある旨を通知する通知手段をさらに備えた請求項１記載の状態監視システムである。
【００１１】
請求項６に係る本発明は、前記通知手段が、前記複数のセンサのうちの一部のセンサに設けられた報知手段を動作させることにより、異常がある旨を通知する請求項５記載の状態監視システムである。
【００１２】
［情報処理装置］
請求項７に係る本発明は、監視対象の状態を検出する複数のセンサにより検出された検出データのうちの、送信されてきた変化後の検出データを格納する格納手段と、
前記格納手段に格納されている過去の検出データから、前記複数のセンサにより検出される検出データが変化する時刻を予測する予測手段と、
前記予測手段により予測された時刻の予め設定された時間前に動作確認用のデータを送信するよう前記複数のセンサのうちの一部の特定のセンサに対して指示する指示手段とを備えた情報処理装置である。
【００１３】
［プログラム］
請求項８に係る本発明は、監視対象の状態を検出する複数のセンサにより検出される検出データのうちの、送信されてきた変化後の検出データを格納する格納ステップと、
前記格納ステップにおいて格納された過去の検出データから、前記複数のセンサにより検出される検出データが変化する時刻を予測する予測ステップと、
前記予測ステップにおいて予測された時刻の予め設定された時間前に動作確認用のデータを送信するよう前記複数のセンサのうちの一部の特定のセンサに対して指示する指示ステップとをコンピュータに実行させるためのプログラムである。
【発明の効果】
【００１４】
請求項１に係る本発明によれば、複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能な状態監視システムを提供することができる。
【００１５】
請求項２に係る本発明によれば、網目状ネットワークにより相互に接続されている複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能な状態監視システムを提供することができる。
【００１６】
請求項３に係る本発明によれば、網目状ネットワークにより無線回線により相互に接続されている複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能な状態監視システムを提供することができる。
【００１７】
請求項４に係る本発明によれば、複数のセンサのうちの一部のセンサから動作確認用のデータを送信するよう指示するだけで、途中経路の装置において異常がないことを確認することが可能な状態監視システムを提供することができる。
【００１８】
請求項５に係る本発明によれば、複数のセンサから格納手段までの経路に異常がある場合には、その旨をシステムの管理者等に通知することが可能な状態監視システムを提供することができる。
【００１９】
請求項６に係る本発明によれば、報知手段が設けられたセンサを見るだけで、複数のセンサから格納手段までの経路に異常があることを把握することが可能な状態監視システムを提供することができる。
【００２０】
請求項７に係る本発明によれば、複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能な情報処理装置を提供することができる。
【００２１】
請求項８に係る本発明によれば、複数のセンサにより得られた検出データのうち変化があった変化後の検出データのみを格納するようなシステムにおいて、検出データを検出する対象の状態が急激に変化した場合でも、必要な検出データを格納できないような不具合の発生を防ぐことが可能なプログラムを提供することができる。
【図面の簡単な説明】
【００２２】
【図１】本発明の一実施形態の状態監視システムのシステム構成を示す図である。
【図２】本発明の一実施形態におけるデータ格納サーバ１０のハードウェア構成を示すブロック図である。
【図３】本発明の一実施形態におけるデータ格納サーバ１０の機能構成を示すブロック図である。
【図４】検出データ格納部３３に格納される検出データの一例を説明するための図である。
【図５】テストデータの送信を開始する予測時刻を決定する際のデータ格納サーバ１０の動作を説明するためのフローチャートである。
【図６】センサ２２におけるテストデータ送信時の動作を説明するためのフローチャートである。
【図７】センサ２２から送信されたテストデータを受信する際のデータ格納サーバ１０の動作を説明するためのフローチャートである。
【図８】テストデータの送信する時間帯を決定する際のデータ格納サーバ１０の動作を説明するためのフローチャートである。
【図９】センサ２２におけるテストデータ送信時の動作を説明するためのフローチャートである。
【発明を実施するための形態】
【００２３】
次に、本発明の実施の形態について図面を参照して詳細に説明する。
【００２４】
図１は本発明の一実施形態の状態監視システムのシステム構成を示す図である。
【００２５】
本発明の一実施形態の状態監視システムは、図１に示されるように、ネットワーク５０により相互に接続されたデータ格納サーバ１０および無線ＬＡＮターミナル３０と、スマートフォン等の携帯端末装置４０と、ゲートウェイ装置２０、センサネットワーク６０とから構成されている。
【００２６】
センサネットワーク６０は、温度センサ、湿度センサ、近接センサ、加速度センサ等の監視対象の状態を検出する複数のセンサ２１、２２により構成されたメッシュ（網目状）ネットワークとなっている。
【００２７】
ここで、センサ２１、２２は、近距離無線通信規格の１つであるブルートゥース（Bluetooth：登録商標）の低消費電力の通信モードであるＢＬＥ（Bluetooth Low Energy)規格に基づく無線通信回線により相互に接続されている。
【００２８】
このセンサネットワーク６０におけるメッシュネットワーク技術は、複数ノード間におけるデータのルーティング技術の一種であり、故障等の障害が発生して一部の経路が使用不能となった場合でも、他の経路を利用して送信先に達するまでノード間の転送が継続されるように構成されている。
【００２９】
データ格納サーバ１０は、このセンサネットワーク６０において検出された各種検出データを格納するための情報処理装置である。
【００３０】
本実施形態の状態監視システムは、例えば、コンビニエンスストアやスーパーマーケット等の店舗内に複数のセンサ２１、２２を設置して、店舗内の温度、湿度、店舗内の混雑状況、店員の移動経路等の様々な情報を取得して、データ格納サーバ１０に格納することにより店舗内の状態を監視するためのものである。
【００３１】
なお、本実施形態の状態監視システムでは、単に店舗内の室温だけでなく、冷凍・冷蔵等されている商品の温度をセンサ２１、２２により検出することにより商品の温度管理も行うことが可能である。
【００３２】
ここで、センサ２１は、他のセンサ２１、２２により検出された検出データを他のセンサ２２に転送する機能を有する。また、センサ２２は、得られた検出データをセンサ２１に転送する機能のみを有する。
【００３３】
そして、これらの複数のセンサ２１のうちのいずれかはＢＬＥ規格の無線回線によりゲートウェイ装置２０に接続されている。ゲートウェイ装置２０は、センサ２１、２２間で検出データの送受信を行っている通信プロトコルと、無線ＬＡＮターミナル３０との間の無線通信回線における通信プロトコルとの間のプロトコル変換を行っている。
【００３４】
また、ゲートウェイ装置２０は、それぞれのセンサ２１、２２から得られた検出データを、無線ＬＡＮターミナル３０を介してデータ格納サーバ１０に送信しているが、複数のセンサ２１、２２により検出される検出データが変化した場合、変化後の検出データのみを送信する送信手段として機能する。つまり、ゲートウェイ装置２０は、センサ２１、２２からの検出データの値が前回の時刻において検出された値と同じ場合には、その検出データをデータ格納サーバ１０には送信しない。
【００３５】
このようにしているのは、例えば、センサ２１、２２により予め設定された時間、例えば５分間毎に監視対象の状態を検出して、得られた全ての検出データをデータ格納サーバ１０において格納しようとすると、格納すべきデータが多量になってしまうからである。そして、例えば監視対象が温度の場合、例えば夜間等の変化が少ない状況下では、得られる値が同じような状態が長時間連続することがあるため、検出データが変化した場合のみ格納するようにすれば十分なためである。
【００３６】
なお、ゲートウェイ装置２０において変化後の検出データのみを送信するのではなく、センサ２１、２２において検出データの値が変化した場合のみ検出データを送信するような構成とすることも可能である。
【００３７】
また、データ格納サーバ１０とセンサネットワーク６０を構成するセンサ２１、２２との間では、検出データの送受信を行う以外にもエラー報告を送受信するようなことが可能な構成となっている。
【００３８】
そして、データ格納サーバ１０は、消費電力を削減するために、処理すべきデータ量が少なくなると、通常動作モードから省電力モードに移行するような機能が備えられている。そのため、夜間等の場合のように、検出データの値にほとんど変化がないような状態が長時間継続すると、データ格納サーバ１０は省電力モードに移行してしまい一度の処理可能なデータ量が大幅に減少する、あるいは、データ処理が全く行われなくなるような状況が発生する。
【００３９】
このような省電力モードに移行している状態で、送信されてくる検出データの量が急激に増加した場合、データ格納サーバ１０では、検出データを受信して格納すべきデータ量が急激に増加するため、受信した全ての検出データを格納する処理を実行できずに格納できない検出データが発生する可能性がある。
【００４０】
本実施形態の状態監視システムでは、検出データを検出する対象の状態が急激に変化した場合でも、必要な検出データを格納できないような不具合の発生を防ぐために、後述するような処理を行っている。
【００４１】
なお、携帯端末装置４０も無線ＬＡＮターミナル３０、ネットワーク５０を介してデータ格納サーバ１０と接続されており、データ格納サーバ１０に格納されている各種検出データを閲覧したり、何等かの異常があった場合の通知をデータ格納サーバ１０から受信することが可能な構成となっている。
【００４２】
次に、本実施形態の状態監視画システムにおけるデータ格納サーバ１０のハードウェア構成を図２に示す。
【００４３】
データ格納サーバ１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００４４】
ＣＰＵ１１は、メモリ１２または記憶装置１３に格納された制御プログラムに基づいて所定の処理を実行して、データ格納サーバ１０の動作を制御する。なお、本実施形態では、ＣＰＵ１１は、メモリ１２または記憶装置１３内に格納された制御プログラムを読み出して実行するものとして説明するが、当該プログラムをＣＤ−ＲＯＭ等の記憶媒体に格納してＣＰＵ１１に提供することも可能である。
【００４５】
図３は、上記の制御プログラムが実行されることにより実現されるデータ格納サーバ１０の機能構成を示すブロック図である。
【００４６】
本実施形態のデータ格納サーバ１０は、図３に示されるように、データ送受信部３１と、制御部３２と、検出データ格納部３３とを備えている。また、制御部３２は、予測部４１と、指示部４２と、通知部４３とを備えている。
【００４７】
データ送受信部３１は、ネットワーク５０を介して無線ＬＡＮターミナル３０との間でデータの送受信を行っている。
【００４８】
制御部３２は、データ格納サーバ１０の動作を制御しており、データ送受信部３１を介して受信したセンサ２１、２２の検出データを検出データ格納部３３に格納するような動作を行っている。
【００４９】
検出データ格納部３３は、制御部３２の制御に基づいて、ゲートウェイ装置２０により送信されてきた、センサ２１、２２により検出された温度、湿度等の各種検出データを格納する。なお、ゲートウェイ装置２０では、センサ２１、２２からの検出データのうち変化後の検出データのみをデータ格納サーバ１０に送信するようにしているので、検出データ格納部３３は、複数のセンサ２１、２２により検出された検出データのうち送信されてきた変化後の検出データのみを格納することになる。
【００５０】
検出データ格納部３３に格納される検出データの一例について図４を参照して説明する。図４では、センサ２１、２２を特定するためのセンサ番号、検出時刻、検出値などが格納されている様子が示されている。
【００５１】
予測部４１は、検出データ格納部３３に格納されている過去の検出データの履歴から、複数のセンサ２１、２２により検出される検出データのうちの多数の検出データが変化する時刻を予測する。つまりには、予測部４１は、検出対象の状態が長時間一定状態であった後に、検出対象の状態が大幅に変化して、多数のセンサ２１、２２により検出される検出データの値が急激に変化するような時刻を予測する。
【００５２】
具体的には、検出対象が商品の販売を行っている店舗のような場合、例えば、営業開始時刻である午前９：００を過ぎると温度、湿度等の状態が急激に変化することが予測される。つまり、店舗の営業時間が終了した後の夜間等の時間帯では、温度や湿度等の状態はほとんど変化しないため、検出データの値も長時間一定の状態が続くが、このような一定状態後に店舗の営業開始時刻を過ぎると、得られる検出データのうちの多くの値が変化することが考えられる。
【００５３】
指示部４２は、予測部４１により予測された時刻の予め設定された時間前に動作確認用のテストデータを送信するよう複数のセンサ２１、２２のうちの一部の特定のセンサに対して指示する。具体的には、指示部４２は、複数のセンサ２１、２２のうち検出データ格納部３３までのホップ数（経由装置数）が多いセンサに対して、予測部４１により予測された時刻の予め設定された時間前、例えば３０分前に動作確認用のテストデータを送信するよう指示する。
【００５４】
なお、本実施形態では、指示部４２は、センサネットワーク６０を構成するセンサ２１、２２のうち、ホップ数が多い一部のセンサ２２に対してテストデータを送信するような指示が行われるものとして説明する。
【００５５】
また、予測部４１により予測された多数の検出データが変化すると予測される時刻が、例えば午前９時の場合、この時刻の３０分前である午前８時３０分にテストデータを送信するような指示が指示部４２より特定のセンサ２２に対して行われる。
【００５６】
通知部４３は、テストデータが正常に受信できない場合には、異常がある旨を携帯端末装置４０に通知する。
【００５７】
また、通知部４３は、複数のセンサ２１、２２のうちの一部のセンサに設けられた報知手段を動作させることにより、異常がある旨をユーザに対して通知するようにしても良い。具体的には、センサ２１、２２に搭載されたＬＥＤの点灯または点滅、ブザー／スピーカーの鳴動、バイブレータの振動、近接ユーザにメッセージ音を報知等により、異常がある旨をユーザに対して通知するようにしても良い。
【００５８】
次に、本実施形態の状態監視システムの動作について図面を参照して詳細に説明する。
【００５９】
先ず、テストデータの送信を開始する予測時刻を決定する際のデータ格納サーバ１０の動作について図５のフローチャートを参照して説明する。
【００６０】
データ格納サーバ１０では、予測部４１は、検出データ格納部３３に格納されている過去の検出データを参照し（ステップＳ１０１）、多くの検出データが変化を始める時刻を予測する（ステップＳ１０２）。
【００６１】
そして、指示部４２は、予測部４１により多くの検出データが変化し始めると予測された時刻の所定時間前、例えば３０分前にテストデータを送信するようセンサ２２のうちの特定のセンサに指示する（ステップＳ１０３）。
【００６２】
なお、指示部４２がテストデータを送信するよう指示するセンサ２２の数は１つに限定されるものではなく、複数のセンサ２２に対してテストデータを予測時刻の所定時間前に送信するよう指示を行うようにしても良い。
【００６３】
次に、このような指示を受けたセンサ２２におけるテストデータ送信時の動作について図６のフローチャートを参照して説明する。
【００６４】
センサ２２では、データ格納サーバ１０の指示部４２から指示された予測時刻の所定時間前になると（ステップＳ２０１においてｙｅｓ）、テストデータの送信を行う（ステップＳ２０２）。このテストデータは、センサネットワーク６０内を転送されてゲートウェイ装置２０まで転送され、ゲートウェイ装置２０から無線ＬＡＮターミナル３０、ネットワーク５０を経由してデータ格納サーバ１０に到達する。
【００６５】
そして、送信したテストデータを正常に受信した旨の返信がデータ格納サーバ１０から届いた場合（ステップＳ２０４においてｙｅｓ）、センサ２２では、テストデータの送信を停止して処理を終了する。
【００６６】
また、送信したテストデータを正常に受信した旨の返信がデータ格納サーバ１０から届かなかった場合（ステップＳ２０４においてｎｏ）、センサ２２は、テストデータの送信を、予め設定された時間間隔で繰り返す。そして、テストデータの送信回数が所定回数を超えた場合（ステップＳ２０３においてｙｅｓ）、センサ２２は、テストデータの送信を停止して、システム内に何等かの異常がある旨のエラー通知を行う（ステップＳ２０５）。
【００６７】
このセンサ２２によるエラー通知としては、センサ２２からデータ格納サーバ１０に対して、システム内に何等かの異常がある旨の情報を送信するようにしても良いし、センサ２２に搭載されているＬＥＤの点滅等によりユーザにその旨を通知するようにしても良い。
【００６８】
次に、上述したような動作によりセンサ２２から送信されたテストデータを受信する際のデータ格納サーバ１０の動作について図７のフローチャートを参照して説明する。
【００６９】
データ格納サーバ１０では、センサ２２からのテストデータまたはエラー通知を受信可能な状態で待機している（ステップＳ３０１、Ｓ３０２）。そして、センサ２２からのテストデータを受信した場合（ステップＳ３０２においてｙｅｓ）、データ格納サーバ１０は、センサ２２にテストデータが正常に受信できた旨を返信する（ステップＳ３０３）。なおこの際に、テストデータを受信したデータ格納サーバ１０は、省電力モードから通常動作モードに復帰する。
【００７０】
そして、センサ２２からのテストデータを受信した場合（ステップＳ３０１においてｙｅｓ）、データ格納サーバ１０は、例えば、携帯端末装置４０にその旨を転送することにより、ユーザにシステム上において何等かの異常がある旨を報告する（ステップＳ３０４）。
【００７１】
そして、ユーザが携帯端末装置４０を介して動作継続指示を行わずにシステムの停止を指示した場合（ステップＳ３０５においてｎｏ）、データ格納サーバ１０は動作を停止して検出データの格納動作を中止する（ステップＳ３０６）。
【００７２】
上記で説明した図５〜図７のフローチャートでは、データ格納サーバ１０において過去の検出データの履歴情報から多数の検出データが変化する時刻を予測するものであった。
【００７３】
これに対して、以下では図８、図９を参照して、データ格納サーバ１０において、過去の検出データの履歴情報から検出データの変化があまり発生しない時間帯を判定して、センサ２２からその時間帯においてテストデータを送信するような場合について説明する。
【００７４】
先ず、テストデータの送信する時間帯を決定する際のデータ格納サーバ１０の動作について図８のフローチャートを参照して説明する。
【００７５】
データ格納サーバ１０では、予測部４１は、検出データ格納部３３に格納されている過去の検出データを参照し（ステップＳ４０１）、検出データの変化が少ない時間帯を予測（判定）する（ステップＳ４０２）。
【００７６】
そして、指示部４２は、予測部４１により検出データの変化が少ないと予測された時間帯にテストデータを送信するようセンサ２２のうちの特定のセンサに指示する（ステップＳ４０３）。
【００７７】
次に、このような指示を受けたセンサ２２におけるテストデータ送信時の動作について図９のフローチャートを参照して説明する。
【００７８】
センサ２２では、データ格納サーバ１０の指示部４２から指示された時間帯になり（ステップＳ５０１においてｙｅｓ）、前回テストデータを送信してから所定時間、例えば１時間が経過している場合（ステップＳ５０２においてｙｅｓ）、テストデータの送信を行う（ステップＳ５０３）。このテストデータは、センサネットワーク６０内を転送されてゲートウェイ装置２０まで転送され、ゲートウェイ装置２０から無線ＬＡＮターミナル３０、ネットワーク５０を経由してデータ格納サーバ１０に到達する。
【００７９】
そして、送信したテストデータを正常に受信した旨の返信がデータ格納サーバ１０から届くと（ステップＳ５０４においてｙｅｓ）、センサ２２は、現在時刻が予測された時間帯である場合、所定時間の経過毎にテストデータを送信する（ステップＳ５０１〜Ｓ５０３）。
【００８０】
そして、送信したテストデータを正常に受信した旨の返信がデータ格納サーバ１０から届かなかった場合（ステップＳ５０４においてｎｏ）、センサ２２は、システム内に何等かの異常がある旨のエラー通知を行う（ステップＳ５０５）。
【００８１】
なお、このようにしてセンサ２２から送信されるテストデータを受信した際のデータ格納サーバ１０の動作は、図７に示したフローチャートと同様であるため、その説明は省略する。
【符号の説明】
【００８２】
１０    データ格納サーバ
１１    ＣＰＵ
１２    メモリ
１３    記憶装置
１４    通信インタフェース（ＩＦ）
１５    ユーザインタフェース（ＵＩ）装置
１６    制御バス
２０    ゲートウェイ装置
２１、２２    センサ
３０    無線ＬＡＮターミナル
３１    データ送受信部
３２    制御部
３３    検出データ格納部
４０    携帯端末装置
４１    予測部
４２    指示部
４３    通知部
５０    ネットワーク
６０    センサネットワーク
【図１】
2019128755.tif 000003
【図２】
2019128755.tif 000004
【図３】
2019128755.tif 000005
【図４】
2019128755.tif 000006
【図５】
2019128755.tif 000007
【図６】
2019128755.tif 000008
【図７】
2019128755.tif 000009
【図８】
2019128755.tif 000010
【図９】
2019128755.tif 000011